(57)【要約】   【課題】 通常の状態では密封されているが、内圧が上昇し危険な状態になったとき、安全なガス抜きが行われる包装袋の開発を目的とする。 【解決手段】 ポリオレフィンを主体とする複数のフィルムを貼り合せた複合フィルムからなるガス抜き包装袋において、ガス抜き構造として、外気と反対側の内側フィルムの一定箇所に孔があり、この孔のある部分は、高分子接着剤で塞がれた構造であり、ガス圧が上昇したとき高分子接着剤と、内側フィルムが剥離して、ガス抜きのための通気孔が形成され更にガス出口が形成されるガス抜き構造を有することを特徴とするガス抜き包装袋である。 具体的には、 （ａ）包装袋としたとき外気に接しない内側フィルムに高分子接着剤を塗布し、 （ｂ）高分子接着剤の塗布部分及び内側フィルムを貫通する孔Ａを空け、 （ｃ）孔Ａを塞ぐように外気に接する外側フィルムを重ね、高分子接着剤に接合すると同時に、接着剤の存在しないところでは、外側フィルムと内側フィルムを接合した構造とした。 【選択図】      図１
2005047584.tif 000002
【特許請求の範囲】
【請求項１】
ポリオレフィンを主体とする複数のフィルムを貼り合せた複合フィルムからなるガス抜き包装袋において、ガス抜き構造として、外気と反対側の内側フィルムの一定箇所に孔があり、この孔のある部分は、高分子接着剤で塞がれた構造であり、ガス圧が上昇したとき高分子接着剤と、内側フィルムが剥離して、ガス抜きのための通気孔が形成され更にガス出口が形成されるガス抜き構造を有することを特徴とするガス抜き包装袋。 
【請求項２】
請求項１のガス抜き包装袋において、 
（ａ）包装袋としたとき外気に接しない内側の一枚のフィルムに高分子接着剤を塗布し、 
（ｂ）高分子接着剤の塗布部分及び内側フィルムを貫通する孔Ａを空け、 
（ｃ）該孔Ａを塞ぐように外気に接する外側フィルムを重ね、高分子接着剤に接合すると同時に、高分子接着剤の存在しないところでは、外側フィルムと内側フィルムを接合した構造とし 
（ｄ）ガス圧が上昇したとき高分子接着剤と、内側フィルムが剥離して、ガス抜きのための通気孔が形成され更にガス出口が形成されるガス抜き構造を有することを特徴とするガス抜き包装袋。 
【請求項３】
請求項１のガス抜き包装袋において、 
（ａ１）包装袋としたとき外気に接しない内側フィルムに高分子接着剤を塗布し、 
（ｂ１）高分子接着剤の塗布部分及び内側フィルムを貫通する孔Ａを空け、 
（ｃ１）外気に接する外側フィルムに孔Ｂを空け、 
（ｄ１）外側フィルムの孔Ｂと内側フィルムの高分子接着剤の塗布部を、外側フィルムの孔Ｂと内側フィルムの孔Ａが重ならないようにして二枚のフィルムを重ね、高分子接着剤に接合すると同時に、高分子接着剤の存在しないところでは、外側フィルムと内側フィルムを接合した構造とし 
（ｅ１）ガス圧が上昇したとき高分子接着剤と、内側フィルムが剥離して、ガス抜きのための通気孔が形成され更にガス出口が形成されるガス抜き構造を有することを特徴とする 
ガス抜き包装袋。 
【請求項４】
ガス抜き包装袋である請求項１、２、３において、ポリオレフィンがポリプロピレンであることを特徴とするガス抜き包装袋。 
【請求項５】
ガス抜き包装袋である請求項１、２、３において、ポリオレフィンがポリエチレンであることを特徴とするガス抜き包装袋。 
【請求項６】
ガス抜き包装袋である請求項１、２、３において、高分子接着剤が印刷インキ用高分子であることを特徴とするガス抜き包装袋。
【請求項７】
請求項１〜請求項６のガス抜き包装袋において、外側フィルムは２軸延伸フィルムであることを特徴とするガス抜き包装袋。 
【請求項８】
請求項１〜請求項６のガス抜き包装袋において、内側フィルムには、末延伸フィルムが使用されることを特徴とするガス抜き包装袋。 
【発明の詳細な説明】
【技術分野】
【０００１】
本発明は、ガス抜き包装袋に関する。 
【背景技術】
【０００２】
外界の細菌などによる腐敗防止や、塵などによる汚染防止、日光や酸素による酸化防止、外観の向上による商品価値向上などのため、広く包装が行われている。そして、この目的のため、多くの場合密封して包装されている。 
【０００３】
しかしながら、密封して保存中、ガスが発生して包装材が膨れたり、内容物を密封包装した状態で、電子レンジなどで加熱したりすると、包装材が膨れ、極端な場合は、爆発する事故も起こり得る。 
【発明の開示】
【発明が解決しようとする課題】
【０００４】
包装材で密封しなければ、包装材の膨れや、爆発など起こり得ないが、このような包装では、包装自体の意義が半減することになる。そこで、通常の状態では密封されているが、内圧が上昇し危険な状態になったとき、安全なガス抜きが行われる包装袋が望まれる。 
【０００５】
従来、このような電子レンジ用包装袋としては、非ヒートシール性フィルムを使用し、弱熱融着して、内部のガス圧が上昇したとき、該弱熱融着部分を剥離する方法が開示されている（特許文献１）。しかし、この方法は非ヒートシール性フィルムと、ヒートシール性フィルムで貼り合せた複合フィルムを準備する必要があるし、ポリプロピレンなど、ポリオレフィン系を主体とするフィルムには適用しがたい欠点がある。 
【０００６】
【特許文献１】特開２００３−５４６５１号公報
【課題を解決するための手段】
【０００７】
そこで本発明の目的は、簡便かつ安全なガス抜き機構を有し、保存中ガスが発生する煎ったコーヒー豆の保存袋や、電子レンジに包装した状態で照射できる包装袋の開発にある。即ち本発明は、 
（１）  ポリオレフィンを主体とする複数のフィルムを貼り合せた複合フィルムからなるガス抜き包装袋において、ガス抜き構造として、外気と反対側の内側フィルムの一定箇所に孔があり、この孔のある部分は、高分子接着剤で塞がれた構造であり、ガス圧が上昇したとき高分子接着剤と、内側フィルムが剥離して、ガス抜きのための通気孔が形成され更にガス出口が形成されるガス抜き構造を有することを特徴とするガス抜き包装袋である。 
（２）  （１）のガス抜き包装袋において、 
（ａ）包装袋としたとき外気に接しない内側フィルムに高分子接着剤を塗布し、 
（ｂ）高分子接着剤の塗布部分及び内側フィルムを貫通する孔Ａを空け、 
（ｃ）孔Ａを塞ぐように外気に接する外側フィルムを重ね、高分子接着剤に接合すると同時に、高分子接着剤の存在しないところでは、外側フィルムと内側フィルムを接合した構造とし 
（ｄ）ガス圧が上昇したとき高分子接着剤と、内側フィルムが剥離して、ガス抜きのための通気孔が形成され更にガス出口が形成されるガス抜き構造を有することを特徴とする。 
（３）  （１）のガス抜き包装袋において、 
（ａ１）包装袋としたとき外気に接しない内側の一枚のフィルムに高分子接着剤を塗布し、 
（ｂ１）高分子接着剤の塗布部分及び内側フィルムを貫通する孔Ａを空け、 
（ｃ１）外気に接する外側フィルムに孔Ｂを空け、 
（ｄ１）外側フィルムの孔Ｂと内側フィルムの高分子接着剤の塗布部を、外側フィルムの孔Ｂと内側フィルムの孔Ａが重ならないようにして二枚のフィルムを重ね、高分子接着剤に接合すると同時に、高分子接着剤の存在しないところでは、外側フィルムと内側フィルムを接合し 
（ｅ１）ガス圧が上昇したとき高分子接着剤と、内側フィルムが剥離して、ガス抜きのための通気孔が形成され更にガス出口が形成されるガス抜き構造を有することを特徴とする。 
（４）  ガス抜き包装袋である（１）、（２）、（３）において、ポリオレフィンがポリプロピレンであるとよい。 
（５）  ガス抜き包装袋である（１）、（２）、（３）において、ポリオレフィンがポリエチレンであるとよい。 
（６）  ガス抜き包装袋である（１）、（２）、（３）において、高分子接着剤が印刷インキ用高分子であるとよい。
（７）   （１）〜（６）のガス抜き包装袋において、外側フィルムは２軸延伸フィルムであるとよい。 
（８）  （１）〜（６）のガス抜き包装袋において、内側フィルムには、末延伸フィルムが使用されるとよい。 
【０００８】
本発明で使用する高分子接着剤は、ポリプロピレン乃至ポリエチレンと接着することは可能であるが、ポリプロピレン乃至ポリエチレン相互の熱接着よりその接着力が弱いことが必要であり、この目的のため、好ましくは、印刷インキ用合成樹脂が用いられる。その具体例としては、ロジン変性フェノール樹脂、ケトン樹脂、塩化ビニル・酢酸ビニル共重合樹脂、ポリビニルブチラール、スチレン・マレイン酸共重合樹脂、アクリル樹脂、メタクリル樹脂、石油樹脂、ポリエステル樹脂、ポリアミド樹脂、ポリウレタン、アルキッド樹脂、塩化ゴム、環化ゴムなどをあげることができる。 
【０００９】
本発明で使用するポリプロピレン、ポリエチレンなどのポリオレフィンは、好ましくは、印刷性を向上するため、コロナ放電処理を施されていることが好ましい。そして、本発明で用いる包装袋に使用するフィルムは、外気と接する外側には、２軸延伸を施したフィルムを用いることが好ましい。外気と接しない内側は、熱溶融性を高めるため、未延伸フィルムを用いることが好ましい。 
【００１０】
本発明では、ガス抜き部分の外側フィルムに孔を開ける必要があるが、孔の形状として、丸や矩形、線などがあり、孔を作成する方法としては、レーザーや刃物をあげることができる。 
【００１１】
また、本発明では、ガス抜き部分の内側に、高分子接着剤を塗布する必要があるが、塗布方法としては、例えばスクリーン印刷、グラビヤ印刷をあげることができる。ガス抜き装置とするために、外側フィルムと、高分子接着剤のある部分を重ね加熱する。高分子接着剤は、外側フィルムと接着し、通常の状態では密封された状態となり、内部が加圧された状態では剥離してガス抜きとなる。一方高分子接着剤の存在しない部分は、外側フィルムと内側フィルムが接合している。 
【発明を実施するための最良の形態】
【００１２】
以下に、本発明の具体的な構成に付いて、図面を参照しながら説明する。 
図１は内側フィルム２に、高分子接着剤３を塗布した状態の断面図である。次に、図２に示す様に高分子接着剤３の塗布部分及び内側フィルム２を貫通する孔Ａ４を空け、図３に示す様に、孔Ａ４を塞ぐように外気に接する外側フィルム１を重ね、高分子接着剤３に接合すると同時に、接着剤３の存在しないところでは、外側フィルム１と内側フィルム２を接合した構造とする。 
図３は、密封した状態におけるガス抜き部分の断面図である。内側フィルム２には孔Ａ４があり、高分子接着剤３により、遮断された構造となっている。 
図４は、ガス抜き包装袋の正面図である。融着部分７によって袋が形成されている。ガス抜き構造は縦長に存在する高分子接着剤３と、同様に縦長に存在する孔Ａ４がある。 
図５は、ガス抜きが作動した状態でのガス抜き部分の斜視図である。内圧が高くなると通気孔６が形成されてガス抜きが行われる。ガス圧が高くなると、図５に示したように、高分子接着剤３で接合した部分ははがれ、ガス抜き包装袋の端部にガス出口８が形成されガス抜きが行われる。 
図６は、外気に接する外側フィルム１に孔Ｂ５を空け、外側フィルム１の孔Ｂ５と内側フィルム２の高分子接着剤３の塗布部を、外側フィルム１の孔Ｂ５が内側フィルム２の孔Ａ４が重ならないようにして二枚のフィルムを重ね、高分子接着剤３に接合すると同時に、高分子接着剤３の存在しないところでは、外側フィルム１と内側フィルム２を接合した構造としたガス抜き包装袋の断面図であり、図７は、ガス抜きが作動したときの断面図である。図６の構造のガス抜き袋では、比較的小さい通気口やガス出口で、ガス抜きが有効となる。 
【００１３】
以上の説明によって明らかな様に、本発明によるガス抜き包装袋は、以下に列挙した如き、実用上の好ましい効果を奏する。
（ａ）  フィルム材料として最も一般的なポリオレフィンに適用できる。 
このため、和菓子などに応用できる。 
（ｂ）  簡便かつ安全なガス抜き装置である。 
【図面の簡単な説明】
【００１４】
【図１】内側フィルムに高分子接着剤を塗布した状態のガス抜き部分の断面図である。
【図２】内側フィルムに高分子接着剤を塗布し孔Ａを空けた状態のガス抜き部分の断面図である。
【図３】内側フィルムに高分子接着剤を塗布し、孔Ａを空け外側フィルムを被せた状態のガス抜き部分の断面図である。
【図４】ガス抜き包装袋の正面図である。
【図５】ガス抜きが作動した状態の斜視図である。
【図６】外側フィルムにも孔Ｂがあるときの内側フィルムに高分子接着剤を塗布し孔Ａを空け外側フィルムを被せた状態のガス抜き部分の断面図である。
【図７】外側フィルムにも孔Ｂがあるときのガス抜き包装袋で、ガス抜きが作動したときの断面図である。
【符号の説明】
【００１５】
１  外側フィルム
２  内側フィルム
３  高分子接着剤
４  孔Ａ
５  孔Ｂ
６  通気孔
７  融着部分 
８  ガス出口
９  側面融着部分
【図１】
2005047584.tif 000003
【図２】
2005047584.tif 000004
【図３】
2005047584.tif 000005
【図４】
2005047584.tif 000006
【図５】
2005047584.tif 000007
【図６】
2005047584.tif 000008
【図７】
2005047584.tif 000009